(57)【要約】【課題】履き心地に優れるブーツ２の提供。【解決手段】ブーツ２は、ソール４とアッパー６とを有している。アッパー６は、内層１１と外層１２とを有している。内層１１は、スポンジ層２０を含んでいる。このスポンジ層２０は、独立気泡を含むポリマー成形体である。外層１２は、気泡を含まないポリマー成形体である。内層１１は、部分的に外層１２に覆われている。アッパー６は、第一露出部１４と第二露出部１６とを有している。第一露出部１４は、着用者の足首前側に相当する部位であって内層１１が露出している部位である。第二露出部１６は、着用者の脹ら脛に相当する部位であって内層１１が露出している部位である。【選択図】図２
2015104603.tif 000002
【特許請求の範囲】
【請求項１】
ソールとアッパーとを備えており、
上記アッパーが、内層と、この内層の表面の一部に積層された外層とを有しており、
着用者の足首前側又は着用者の脹ら脛に相当する部位において、上記外層が存在しないブーツ。
【請求項２】
上記内層が気泡を含むポリマー成形体を有しており、上記外層が気泡を含まないポリマー成形体を有している請求項１に記載のブーツ。
【請求項３】
上記内層が、複数の部材が接合されることで形成されており、
１つの部材とこれに隣接する他の部材との接合箇所が、上記外層で覆われている請求項１又は２に記載のブーツ。
【発明の詳細な説明】
【技術分野】
【０００１】
本発明は、釣り人等に着用されるブーツに関する。
【背景技術】
【０００２】
釣りに、ブーツが利用されている。ブーツは、本体と裏当てとを備えている。本体には、天然ゴムのようなゴム又はポリ塩化ビニルのような合成樹脂が用いられている。裏当ては、本体の内面に接合されている。裏当ては、ブーツの着脱のときの足の滑りに寄与する。裏当てを備えたブーツの着脱は、容易である。
【０００３】
釣りは、磯、岸壁のような斜面でなされることが多い。釣り人は、同じ足場に長時間立ち続ける。このとき、ブーツが釣り人の足を局所的に圧迫する。この圧迫により、釣り人は足に苦痛を感じる。釣り人が、ポイント移動の目的で長距離を歩行することがある。歩行のとき、足がブーツと擦れ合う。この擦れ合いによっても、釣り人は足に苦痛を感じる。
【０００４】
裏当てとしてスポンジが用いられたブーツがある。スポンジはクッション性に富む。このスポンジよって足の苦痛が和らげられる。この裏当ては、断熱性に優れる。この裏当てを有するブーツは、保温性に優れる。このブーツは、冬季の釣りに好んで用いられている。
【発明の概要】
【発明が解決しようとする課題】
【０００５】
釣りの途中で、釣り人がしゃがむ動作を行うことがある。この動作により、足首前側の角度（つまり足と向こう脛との間の角度）が小さくなる。この動作のとき、ブーツの、足首前側に相当する部位が、湾曲する。湾曲により、ブーツには復元力が生じる。この復元力は、釣り人の足首を圧迫する。このブーツを着用した釣り人は、しゃがむ動作に不快感を覚える。
【０００６】
釣り人がブーツを脱ぐとき、このブーツの脹ら脛に相当する部位に、踵が擦れる。この擦れは、釣り人がブーツを脱ぐ動作の抵抗となる。釣り人は、このブーツを容易には脱げない。
【０００７】
本発明の目的は、履き心地に優れるブーツの提供にある。本発明の他の目的は、脱ぎやすいブーツの提供にある。
【課題を解決するための手段】
【０００８】
本発明に係るブーツは、ソールとアッパーとを備える。このアッパーは、内層と、この内層の表面の一部に積層された外層とを有する。着用者の足首前側又は着用者の脹ら脛に相当する部位において、外層は存在しない。
【０００９】
好ましくは、内層は気泡を含むポリマー成形体を有する。好ましくは、外層は気泡を含まないポリマー成形体を有する。
【００１０】
内層が、複数の部材が接合されることで形成されてもよい。好ましくは、１つの部材とこれに隣接する他の部材との接合箇所は、外層で覆われる。
【発明の効果】
【００１１】
着用者の足首前側に相当する部位に外層が存在しないブーツは、履き心地に優れる。着用者の脹ら脛に相当する部位に外層が存在しないブーツは、脱ぎやすい。
【図面の簡単な説明】
【００１２】
【図１】図１は、本発明の一実施形態に係るブーツが示された正面図である。
【図２】図２は、図１のブーツが示された一部切り欠き断面図である。
【図３】図３は、図１のブーツの内層が示された斜視図である。
【図４】図４は、図１のブーツの内層が示された斜視図である。
【発明を実施するための形態】
【００１３】
以下、適宜図面が参照されつつ、好ましい実施形態に基づいて本発明が詳細に説明される。
【００１４】
図１及び２に示されたブーツ２は、釣り人等に着用される。このブーツ２は、左足用である。右足用のブーツは、このブーツ２の形状と鏡面対称である形状を有する。このブーツ２は、ソール４、アッパー６及び縁飾り７を有している。
【００１５】
ソール４は、アウトソール８及びインソール（図示されず）からなる。アウトソール８は、地面と当接する。アウトソール８の底面には、多数の溝１０が形成されている。この溝１０は、アウトソール８の、濡れた地面とのスリップを抑制する。アウトソール８は、架橋されたゴム組成物からなる。アウトソール８が、樹脂組成物からなってもよい。
【００１６】
アッパー６は、内層１１と外層１２とを有している。この内層１１が、図３及び４に示されている。内層１１は、着用者の足及び脛に相当する。この内層１１は、袋状である。この内層１１は、ソックスの形状に類似する形状を有する。
【００１７】
縁飾り７は、アッパー６の上端を覆っている。図２に示されるように、縁飾り７の断面形状は、「Ｕ」字状である。縁飾り７は、内層１１及び外層１２を保護する。縁飾り７は、糸によってアッパー６に縫い付けられている。縁飾り７が、接着剤によってアッパー６に接合されてもよい。縁飾り７の材質として、合成皮革又は人口皮革が例示される。
【００１８】
図１及び２から明らかなように、内層１１は、部分的に外層１２に覆われている。換言すれば、内層１１の一部に、外層１２が積層されている。外層１２は、接着剤によって内層１１と接合されている。接合が、加硫接着によってなされてもよい。接合が、融着によってなされてもよい。
【００１９】
内層１１の一部は、外層１２に覆われていない。換言すれば、内層１１の一部は、露出している。本実施形態では、着用者の足首前側に相当する部位と、着用者の脹ら脛に相当する部位とにおいて、内層１１が露出している。本明細書では、着用者の足首前側に相当する部位であって内層１１が露出している部位は、第一露出部１４と称される。着用者の脹ら脛に相当する部位であって内層１１が露出している部位は、第二露出部１６と称される。第一露出部１４は、外層１２に囲まれている。一方、第二露出部の上方には、外層１２は存在しない。従って、第二露出部１６の上端Ｅ（図２参照）は、内層１１の上端でもある。
【００２０】
前述の通り、第一露出部１４には外層１２は存在しない。従って、この第一露出部１４は、柔軟である。着用者がしゃがむとき、この第一露出部１４が湾曲する。この湾曲には、大きな力は不要である。着用者がしゃがむとき、第一露出部１４は着用者の脛を圧迫しない。このブーツ２は、履き心地に優れる。
【００２１】
前述の通り、第二露出部１６には外層１２は存在しない。従って、この第二露出部１６は、柔軟である。着用者がブーツ２を脱ぐとき、この第二露出部１６が容易に変形する。この変形には、大きな力は不要である。着用者は、容易にこのブーツ２を脱ぐことができる。
【００２２】
図２に示されるように、内層１１は、内側ジャージ層１８、スポンジ層２０及び外側ジャージ層２２からなる。内側ジャージ層１８は、スポンジ層２０の内面に積層されている。内側ジャージ層１８は、接着剤によってスポンジ層２０に接合されている。外側ジャージ層２２は、スポンジ層２０の外面に積層されている。外側ジャージ層２２は、接着剤によってスポンジ層２０に接合されている。
【００２３】
スポンジ層２０は、独立気泡を含むポリマー成形体である。このスポンジ層２０は、非透水性である。このスポンジ層２０は、柔軟である。このスポンジ層２０は、着用者がしゃがむ動作を阻害しない。このスポンジ層２０は、クッション性に富む。このスポンジ層２０により、着用者の苦痛が和らげられる。このスポンジ層２０は、断熱性に富む。このスポンジ層２０は、保温性に寄与する。クッション性及び保温性の観点から、スポンジ層２０の厚みは２ｍｍ以上が好ましく、３ｍｍ以上が特に好ましい。厚みは１０ｍｍ以下が好ましく、５ｍｍ以下が特に好ましい。
【００２４】
クッション性及び保温性の観点から、スポンジ層２０の発泡倍率は１．５倍以上が好ましく、２．０倍以上が特に好ましい。強度の観点から、この発泡倍率は１０倍以下が好ましく、８倍以下が特に好ましい。発泡倍率は、スポンジ層２０の密度に対する、気泡が存在しないと仮定されたときの成形体の密度の比である。
【００２５】
内側ジャージ層１８及び外側ジャージ層２２の材質として、ナイロン及びポリウレタンが例示される。内側ジャージ層１８及び外側ジャージ層２２は、スポンジ層２０を保護する。内側ジャージ層１８はさらに、着脱時の足の滑りにも寄与する。内側ジャージ層１８及び外側ジャージ層２２は、伸縮性に富む。内側ジャージ層１８及び外側ジャージ層２２は、スポンジ層２０によるクッション性を阻害しない。
【００２６】
外層１２は、気泡を含まないポリマー成形体である。本実施形態では、外層１２は、架橋されたゴム組成物からなる。このゴム組成物の典型的な基材ゴムは、天然ゴムである。外層１２が、樹脂組成物からなってもよい。この樹脂組成物の典型的な基材樹脂は、ポリ塩化ビニルである。
【００２７】
この外層１２の硬度は、内層１１の硬度よりも大きい。この外層１２は、アッパー６の剛性に寄与する。さらにこの外層１２は、ブーツ２の耐久性に寄与する。この外層１２の厚みは、０．３ｍｍ以上３ｍｍ以下が好ましい。
【００２８】
図２において矢印Ｈ１で示されているのは、第一露出部１４の高さである。着用者がしゃがむ動作が阻害されないとの観点から、高さＨ１は６ｃｍ以上が好ましく、８ｃｍ以上が特に好ましい。耐久性及び保温性の観点から、高さＨ１は１６ｃｍ以下が好ましく、１４ｃｍ以下が特に好ましい。
【００２９】
着用者がしゃがむ動作が阻害されないとの観点から、第一露出部１４の表面積は５０ｃｍ２以上が好ましく、７０ｃｍ２以上が特に好ましい。耐久性及び保温性の観点から、この表面積は１８０ｃｍ２以下が好ましく、１６０ｃｍ２以下が特に好ましい。
【００３０】
図２において矢印Ｈ２で示されているのは、第二露出部１６の高さである。着用者がブーツ２を脱ぎやすいとの観点から、高さＨ２は８ｃｍ以上が好ましく、１０ｃｍ以上が特に好ましい。耐久性及び保温性の観点から、高さＨ２は１８ｃｍ以下が好ましく、１６ｃｍ以下が特に好ましい。
【００３１】
着用者がブーツ２を脱ぎやすいとの観点から、第二露出部１６の表面積は６０ｃｍ２以上が好ましく、８０ｃｍ２以上が特に好ましい。耐久性及び保温性の観点から、この表面積は２１０ｃｍ２以下が好ましく、１９０ｃｍ２以下が特に好ましい。
【００３２】
図３及び４に示されるように、内層１１は、前部材２４、後部材２６、インサイド部材２８及びアウトサイド部材３０を有している。内層１１はさらに、第一接合部３２、第二接合部３４、第三接合部３６、第四接合部３８、第五接合部４０、第六接合部４２及び第七接合部４４を有している。
【００３３】
第一接合部３２では、インサイド部材２８とアウトサイド部材３０とが接合されている。第二接合部３４では、インサイド部材２８と前部材２４とが接合されている。第三接合部３６では、アウトサイド部材３０と前部材２４とが接合されている。第四接合部３８では、インサイド部材２８とアウトサイド部材３０とが接合されている。第五接合部４０では、インサイド部材２８とアウトサイド部材３０とが接合されている。第六接合部４２では、インサイド部材２８と後部材２６とが接合されている。第七接合部４４では、アウトサイド部材３０と後部材２６とが接合されている。それぞれの接合部では、縫合及び接着剤により、隣接する部材同士が接合されている。
【００３４】
それぞれの接合部は、外層１２に覆われている。従って、第一露出部１４には接合部は存在せず、第二露出部１６にも接合部は存在しない。このブーツ２では、接合部は露出していない。このブーツ２は、外観及び耐久性に優れる。ブーツが、接合部の一部が外層で覆われていないアッパーを有してもよい。
【００３５】
このブーツ２にトラウザーが取り付けられ、ウェーダーが構成されてもよい。
【００３６】
ブーツが、第一露出部を有し、第二露出部を有さないアッパーを備えてもよい。このブーツは、着用者のしゃがむ動作を阻害しない。
【００３７】
ブーツが、第一露出部を有さず、第二露出部を有するアッパーを備えてもよい。着用者は、このブーツを容易に脱ぐことができる。
【産業上の利用可能性】
【００３８】
本発明に係るブーツは、種々の釣り場において利用されうる。
【符号の説明】
【００３９】
２・・・ブーツ
４・・・ソール
６・・・アッパー
１１・・・内層
１２・・・外層
１４・・・第一露出部
１６・・・第二露出部
２０・・・スポンジ層
２４・・・前部材
２６・・・後部材
２８・・・インサイド部材
３０・・・アウトサイド部材
【図１】
2015104603.tif 000003
【図２】
2015104603.tif 000004
【図３】
2015104603.tif 000005
【図４】
2015104603.tif 000006